(57)【特許請求の範囲】
【請求項１】
複数の送信源からそれぞれ時間情報の含まれた伝送信号が送信されており、複数の前記伝送信号を受信する受信装置において、
前記複数の送信源のうちの一つを選局送信源として受信するための選局信号を受け、選択手段、復調手段、時間情報抽出手段、第１の切替手段、時計手段、第２の切替手段を制御する制御手段と、
前記制御手段からの信号を受け、複数の前記伝送信号から前記選局送信源の伝送信号を選択し、前記時間情報の含まれるチャネル又はその他のチャネルを選択する選択手段と、
前記選択したチャネルの信号を復調し、前記時間情報又はその他の情報信号を再生する復調手段と、
前記復調手段の出力信号から前記時間情報を、選局送信源の時間情報として抽出する時間情報抽出手段と、
抽出された前記選局送信源の時間情報を送信源別に切り替える第１の切替手段と、
送信源別に用意された複数の時計を有し、前記第１の切替手段により切り替えられた前記選局送信源の時間情報を用いて、前記送信源別に用意された複数の時計のうち前記選局送信源の時計の時間の設定又は修正を行う時計手段と、
前記送信源別に用意された複数の時計から前記選局送信源の時計を選択し、その送信源別時間を出力する第２の切替手段と、
前記復調手段の出力信号である前記その他の情報信号を前記第２の切替手段の出力信号である前記送信源別時間を用いて処理する信号処理手段と、
を設けたことを特徴とする受信装置。
【請求項２】
複数の送信源からそれぞれ時間情報の含まれた伝送信号が送信されており、複数の前記伝送信号を受信する受信装置において、
前記複数の送信源のうちの一つを選局送信源として受信するための選局信号を受け、選択手段、復調手段、時間情報抽出手段、第１の切替手段、時計手段、第２の切替手段を制御する制御手段と、
前記制御手段からの信号を受け、複数の前記伝送信号から前記選局送信源の伝送信号を選択し、前記時間情報の含まれるチャネル又はその他のチャネルを選択する選択手段と、
前記選択したチャネルの信号を復調し、前記時間情報又はその他の情報信号を再生する復調手段と、
前記復調手段の出力信号から前記時間情報を、選局送信源の時間情報として抽出する時間情報抽出手段と、
抽出された前記選局送信源の時間情報を送信源別に切り替える第１の切替手段と、
送信源別に用意された複数の時計を有し、前記第１の切替手段により切り替えられた前記選局送信源の時間情報を用いて、前記送信源別に用意された複数の時計のうち前記選局送信源の時計の時間の設定又は修正を行う時計手段と、
前記送信源別に用意された複数の時計から前記選局送信源の時計を選択し、その送信源別時間を出力する第２の切替手段と、
前記復調手段の出力信号である前記その他の情報信号を前記第２の切替手段の出力信号である前記送信源別時間を用いて処理する第１の信号処理手段と、
前記時計手段内の前記送信源別に用意された複数の時計の時間情報信号、及び又は、前記送信源別に用意された複数の時計のそれぞれに対応する送信源を識別する識別信号を出力する時間検出手段と、
前記時間検出手段の出力信号である前記時間情報信号を用いて各手段を制御するための信号処理を行う第２の信号処理手段と、
を設けたことを特徴とする受信装置。
【請求項３】
請求項２記載の受信装置において、
前記時間検出手段を、前記時計手段内の複数の時計のうち、最も遅れている遅れ時計及び又は最も進んでいる進み時計を検出し、前記遅れ時計の遅れ時間及び又は前記進み時計の進み時間に関する時間情報信号、及び又は、前記遅れ時計に対応する送信源及び又は前記進み時計に対応する送信源を識別する識別信号を出力する動作とすることを特徴とする受信装置。
【請求項４】
請求項１又は２記載の受信装置において、
前記時計手段内の前記送信源別に用意された複数の時計を、
一つの基準時計手段と、
前記第１の切替手段により切り替えられた前記選局送信源の時間情報と、前記基準時計手段から出力される基準時間との差分を計算し、送信源別に差分信号を出力する複数の差分手段と、
前記複数の差分手段の出力信号である複数の前記差分信号をそれぞれ記憶する複数の記憶手段と、
前記複数の記憶手段の出力信号である記憶された複数の前記差分信号と前記基準時間をそれぞれ加算し、複数の加算時間信号を出力する複数の加算手段と、
で構成することを特徴とする受信装置。
【請求項５】
請求項１又は２記載の受信装置において、
前記第２の切替手段の出力信号である前記送信源別時間を用いて、前期信号処理手段又は前期第１の信号処理手段の出力信号を記録する記録再生手段を制御することを特徴とする受信装置。
【発明の詳細な説明】
【０００１】
【発明の属する技術分野】
本発明は、地上放送、ＣＡＴＶ、衛星放送等の複数の送信源からの伝送信号を受信、復調する受信装置に関する。
【０００２】
【従来の技術】
現在、ラジオ、テレビ等の地上放送以外にＢＳ（Broadcasting Satellite）放送やアナログのＣＳ（Communications Satellite）放送等の衛星放送がサービスされており、更に地域によってはＣＡＴＶも行われている。これに加えて、ディジタル処理技術、ディジタル伝送技術、画像、音声の圧縮技術の進歩により、ディジタルのＣＳ放送が実施されることになった。今後、ディジタルＣＳ放送の数は増加する見込みである。これに応じて、ＣＡＴＶもディジタル化の方向で検討が進んでいる。
【０００３】
これらディジタル放送のサービスとしては、ユーザが要求次第でほしい番組をほしいときに見ることができるビデオ・オン・デマンド、同一番組をある一定時間だけずらして数チャネルの上でスタートさせるニア・ビデオ・オン・デマンド、見た番組について課金されるペイ・パー・ビュー等がある。
【０００４】
これらディジタル放送のサービスは時間情報が重要であり、しかも送信側と受信側の時間が一致していないと番組の始め又は終わりがきれてしまう等、不都合なことが発生する。従って、送信側で伝送する伝送信号の中に時間情報を多重しておき、受信側ではその時間情報を元に、送信側と完全に一致した時間を再生することが考えられている。
【０００５】
【発明が解決しようとする課題】
この場合、送信側が１つであれば問題無いが、複数の送信源があった場合に対応できなかった。
【０００６】
本発明の目的は、複数の送信源からの伝送信号を受信する場合でも、受信側でそれぞれの送信側のサービスを支障なく実行することにある。
【０００７】
【課題を解決するための手段】
上記目的を達成するために本発明では、受信装置内に、時間情報を持つ送信源別にそれぞれ専用の時計を持ち、ある送信源を受信するときにはそれに対応した時計を参照するようにし、また時間の校正もそれぞれの送信源別の時計に対して行うようにする。
【０００８】
そのために、前記複数の送信源のうちの一つを選局送信源として受信するための選局信号を受け、選択手段、復調手段、時間情報抽出手段、第１の切替手段、時計手段、第２の切替手段を制御する制御手段と、前記制御手段からの信号を受け、複数の前記伝送信号から前記選局送信源の伝送信号を選択し、前記時間情報の含まれるチャネル又はその他のチャネルを選択する選択手段と、前記選択したチャネルの信号を復調し、前記時間情報又はその他の情報信号を再生する復調手段と、前記復調手段の出力信号から前記時間情報を、選局送信源の時間情報として抽出する時間情報抽出手段と、抽出された前記選局送信源の時間情報を送信源別に切り替える第１の切替手段と、送信源別に用意された複数の時計を有し、前記第１の切替手段により切り替えられた前記選局送信源の時間情報を用いて、前記送信源別に用意された複数の時計のうち前記選局送信源の時計の時間の設定又は修正を行う時計手段と、前記送信源別に用意された複数の時計から前記選局送信源の時計を選択し、その送信源別時間を出力する第２の切替手段と、前記復調手段の出力信号である前記その他の情報信号を前記第２の切替手段の出力信号である前記送信源別時間を用いて処理する信号処理手段と、を設ける。
【０００９】
また、複数の送信源別の時計の時間情報とその時間情報に対応する送信源の識別信号を色々な信号処理に利用することが可能である。
【００１０】
そのために、前記時計手段内の前記送信源別に用意された複数の時計の時間情報信号、及び又は、前記送信源別に用意された複数の時計のそれぞれに対応する送信源を識別する識別信号を出力する時間検出手段と、前記時間検出手段の出力信号である前記時間情報信号を用いて各手段を制御するための信号処理を行う第２の信号処理手段と、を設ける。
【００１１】
【発明の実施の形態】
以下、本発明の実施例を図面を用いて説明する。
【００１２】
図１は、複数の衛星放送、地上放送、ＣＡＴＶを受信する受信装置の実施例である。図１において、１０１は複数の衛星放送の送信源、１０２は地上放送の送信源、１０３はＣＡＴＶの送信源であり、１００はこれら送信源から伝送される伝送信号を受信し復調する受信回路である。受信回路１００において、１０４は選択回路、１０５は復調回路、１０６は信号処理回路、１０７は時間情報抽出回路、１０８は切替回路、１０９は時計回路、１１０は切替回路、１１１は制御回路、１１２は選局信号入力端子、１１３は時間信号外部出力端子、１１４は復調信号外部出力端子である。
【００１３】
本受信装置は時間情報の含まれた送信源からの伝送信号を受信するものであり、時間情報を色々なサービス対応や使いやすさ向上のために使用するものである。
【００１４】
まず、送信源１０１、１０２、１０３について説明する。送信源１０１はディジタルのＣＳ放送であり、複数のディジタルＣＳ放送を考えている。それぞれの送信源から伝送される伝送信号の中には時間情報が多重されている。送信源１０２は、地上放送である。現在の地上放送には一般的に時間情報は多重されていないが、地上放送の時間はほぼ日本標準時間に一致している。また、時報を利用した時計の時間校正等は現在でも行われている。将来的に地上放送がディジタル化されたときに時間情報が多重されることも考えられる。送信源１０３はＣＡＴＶであり、衛星放送のディジタル化に伴い、衛星放送の再送信なども含め、ＣＡＴＶもディジタル化の方向で検討が進んでいる。従って、伝送される伝送信号の中には時間情報が多重されることになる。
【００１５】
これら、送信源１０１、１０２、１０３の時間の関係を図２を一つの例として説明する。図２では地上放送を基準にして考えており、衛星放送ａ、ｂは地上放送より遅れており、その程度は衛星放送ｂの方が大きい。逆に、衛星放送ｚ、ＣＡＴＶは地上放送より進んでおり、その程度は衛星放送ｚの方が大きい。
【００１６】
次に、受信回路１００について説明する。複数の送信源１０１、１０２、１０３のうちの一つを選局送信源として受信するための選局信号を入力端子１０２より受け、制御回路１１１は選択回路１０４、復調回路１０５、時間情報抽出回路１０７、切替回路１０８、時計回路１０９、切替回路１０９を制御する。
【００１７】
制御回路１１１からの信号を受け、選択回路１０４は複数の前記伝送信号から前記選局送信源の伝送信号を選択し、前記時間情報の含まれるチャネル又はその他のチャネルを選択する。復調回路１０５は前記選択したチャネルの信号を復調し、前記時間情報又はその他の情報信号を再生する。時間情報抽出回路１０７は復調回路１０５の出力信号から前記時間情報を選局送信源の時間情報として抽出する。切替回路１０８は抽出された前記選局送信源の時間情報を送信源別に切り替える。時計回路１０８は送信源別に用意された複数の時計を有し、切替回路１０８により切り替えられた前記選局送信源の時間情報を用いて、前記送信源別に用意された複数の時計のうち前記選局送信源の時計の時間の設定又は修正を行う。切替回路１１０は前記送信源別に用意された複数の時計から前記選局送信源の時計を選択し、その送信源別時間を出力する。信号処理回路１０６は復調回路１０５の出力信号である前記その他の情報信号を切替回路１１０の出力信号である前記送信源別時間を用いて処理する。切替回路１１０の出力信号である前記送信源別時間及び信号処理回路１０６で処理された復調信号はそれぞれ外部出力端子１１３、１１４により外部に出力される。
【００１８】
図１の実施例によれば、受信装置内に、時間情報を持つ送信源別にそれぞれ専用の時計を持ち、ある送信源を受信するときにはそれに対応した時計を参照するようにし、また時間の校正もそれぞれの送信源別の時計に対して行うようにするので、時間的に全くずれのない送信源別のサービスを行うことができる効果がある。
【００１９】
図３は図１の出力端子１１３、１１４の使用方法の一実施例を示したものである。図３は復調信号を時間予約によって記録するものであり、３０１は復調信号入力端子、３０２は時間信号入力端子、３０３は記録再生回路、３０４はタイマ制御回路、３０５はタイマ設定回路である。
【００２０】
タイマ設定回路３０５により記録したい時間を予め予約しておく。タイマ制御回路３０４は入力端子３０２から入力された時間信号を監視し、タイマ設定回路３０５で設定された開始時間になると記録再生回路３０３を動作させる。そして、終了時間がくると記録再生回路３０３の動作を停止させる。
【００２１】
以上のように制御することにより記録再生回路３０３の動作開始，動作終了タイミングを復調信号の時間と完全に一致させることができるので、復調信号の記録を開始、終了部分で切れることなく完全に行うことができる効果がある。
【００２２】
図４は、複数の衛星放送、地上放送、ＣＡＴＶを受信する受信装置の他の実施例である。図４において、図１と同一符号は同一機能を示し、４０１は時間検出回路、４０２は時間制御回路、４０３は時計回路である。図４では、図１の動作に加えて時計回路４０３から複数の送信源別の時計の時間情報とその時間情報に対応する送信源の識別信号を時間検出回路４０１により抽出し、時間制御回路４０２により各ブロックを制御するための制御信号を生成し、色々な信号処理に利用することが可能である。
【００２３】
以上のように図４の実施例では、使い勝手のよい受信装置を構築できる効果がある。
【００２４】
図５は、複数の衛星放送、地上放送、ＣＡＴＶを受信する受信装置の他の実施例である。図５において、図１及び図４と同一符号は同一機能を示し、５０１はタイマ設定回路、５０２はタイマ制御回路、５０３は最大遅れ最大進み時間検出回路である。
【００２５】
図５は図４の実施例の具体例であり、受信回路１００のタイマ動作の例である。
【００２６】
タイマ設定回路５０１により記録したい時間を予め予約しておく。一方、最大遅れ最大進み時間検出回路５０３は、図４の時間検出回路４０１を、時計回路４０３内の複数の時計のうち、最も遅れている遅れ時計及び又は最も進んでいる進み時計を検出し、前記遅れ時計の遅れ時間及び又は前記進み時計の進み時間に関する時間情報信号、及び又は、前記遅れ時計に対応する送信源及び又は前記進み時計に対応する送信源を識別する識別信号を出力する動作とする。タイマ制御回路５０２は最大遅れ最大進み時間検出回路５０３から出力された時間信号を監視し、タイマ設定回路５０１で設定された開始時間、終了時間がくると各ブロックを制御するための制御信号を生成し、各ブロックを制御する。
【００２７】
以上の動作を図６を用い説明する。図６は送信源１０１、１０２、１０３の時間の関係とタイマ動作の関係を示したものである。例えば、０：００を開始時間、１：００を終了時間とし、地上放送の時間を基準にして考える。ここで、タイマ設定送信源として衛星放送ｚが選ばれていたとすると衛星放送ｚの時間でタイマ動作する必要がある。即ち、一般的にはタイマ設定回路５０１に設定されている送信源の時間でタイマ動作する必要がある。従って、タイマ予約中は、次に開始する送信源の時間で待機しなければならない。このためには予約された時間設定を早く開始される順番に整理する等の処理が必要となる。ここでは、これらの処理を簡単にするために、最大遅れ最大進み時間検出回路５０３により検出された最大進み時間でタイマを開始し、最大遅れ時間でタイマを終了する。図６の例では、ｔｓで開始し、ｔｅで終了することとなる。
【００２８】
本実施例によれば、予約された時間設定を早く開始される順番に整理する等の処理が不要であり、また次に開始する送信源の時間で待機する必要もない。さらに、連続時間で別送信源のチャネルを予約した場合に発生する時間ずれを気にする必要もない。例えば、図６の例で衛星放送ｚを０：００から１：００まで予約し、次に１：００から２：００まで衛星放送ｂを予約した場合に、Ｔ１＋Ｔ２の空き時間の時間ずれを生じる。この空き時間はタイマ動作を過敏に反応させる可能性があるが、本実施例ではそのような心配もない。以上のように、図５の実施例では、処理が簡単で又安定したタイマ動作が期待できる効果がある。
【００２９】
図７は図１の時計回路１０９の具体例である。一般的に、送信源別に時計が異なっている場合でも時間間隔は一定であり、その位相がずれているだけである。図７の具体例はこれを利用したものである。
【００３０】
７０１は送信源別の時間情報の入力端子、７０２は差分回路、７０３は記憶回路、７０４は加算回路、７０５は送信源別の時計情報の出力端子、７０６は基準時計回路、７０７は制御回路１１１からの制御信号の入力端子である。
【００３１】
時計回路１０９内の送信源別に用意された複数の時計を一つの基準時計回路７０６を利用し、差分回路７０２は切替回路１０８により切り替えられた前記選局送信源の時間情報と、前記基準時計回路７０６から出力される基準時間との差分を計算し、送信源別に差分信号を出力する。記憶回路７０３は差分回路７０２の出力信号である複数の前記差分信号をそれぞれ記憶する。加算回路７０４は前記複数の記憶回路７０３の出力信号である記憶された複数の前記差分信号と前記基準時間をそれぞれ加算し、複数の加算時間信号を出力する。
【００３２】
図７の実施例によれば、一つの基準時計を用いるのみで複数の時計と同等の効果を持つことができるので回路を簡単化できる効果がある。なお、図７の例は時計回路４０３にも利用できることは言うまでもない。
【００３３】
また、図１、図４、図５の実施例において、復調回路１０５が複数あれば、時間情報抽出回路１０７、切替回路１０８、時計回路１０９又は４０３を用いた時間校正処理と、その他の処理を別々の復調回路を用いて同時に行ってもよい。
【００３４】
【発明の効果】
本発明によれば、受信装置内に、時間情報を持つ送信源別にそれぞれ専用の時計を持ち、ある送信源を受信するときにはそれに対応した時計を参照するようにし、また時間の校正もそれぞれの送信源別の時計に対して行うようにするので、複数の送信源からの伝送信号を受信する場合でも、受信側でそれぞれの送信側のサービスを支障なく実行することが可能である。
【００３５】
また、複数の送信源別の時計の時間情報とその時間情報に対応する送信源の識別信号を色々な信号処理に利用することが可能である。
【図面の簡単な説明】
【図１】本発明の一実施例である受信装置のブロック図である。
【図２】本発明の受信装置が受信する伝送信号に多重されている時間情報の説明図である。
【図３】本発明の実施例の利用方法を示すブロック図である。
【図４】本発明の他の実施例である受信装置のブロック図である。
【図５】本発明の他の実施例である受信装置のブロック図である。
【図６】図５の受信装置の動作説明のための時間情報の説明図である。
【図７】本発明の一実施例である受信装置の主要部分のブロック図である。
【符号の説明】
１００…受信回路、受信回路１００において、１０４…選択回路、１０５…復調回路、１０６…信号処理回路、１０７…時間情報抽出回路、１０８…切替回路、１０９…時計回路、１１０…切替回路、１１１…制御回路、１１２…選局信号入力端子、１１３…時間信号外部出力端子、１１４…復調信号外部出力端子、３０１…復調信号入力端子、３０２…時間信号入力端子、３０３…記録再生回路、３０４…タイマ制御回路、３０５…タイマ設定回路、４０１…時間検出回路、４０２…時間制御回路、４０３…時計回路、５０１…タイマ設定回路、５０２…タイマ制御回路、５０３…最大遅れ最大進み時間検出回路、７０１…送信源別の時間情報の入力端子、７０２…差分回路、７０３…記憶回路、７０４…加算回路、７０５…送信源別の時計情報の出力端子、７０６…基準時計回路、７０７…制御回路１１１からの制御信号の入力端子。
【図１】
0003671574.tif 000002
【図２】
0003671574.tif 000003
【図３】
0003671574.tif 000004
【図４】
0003671574.tif 000005
【図５】
0003671574.tif 000006
【図６】
0003671574.tif 000007
【図７】
0003671574.tif 000008